(57)【特許請求の範囲】
【請求項１】
便器本体に設けられた便鉢の下流側に連通する便器排水路の排出口と、前記便器本体が設置されるトイレルーム内に向けて開口する排水管の流入口とを連結する排水連結具であって、
前記排出口に接続する上流側開口部と、
この上流側開口部から下方に延び、上流端部より前後方向の流路幅が縮小し、かつ左右方向の流路幅が拡大した中間絞り部を有する下降流路を形成する下降管部と、
この下降管部の下流側に設けられ、前記流入口に接続する下流側開口部とを備えていることを特徴とする排水連結具。
【請求項２】
前記下降流路は、上流端部から下方に向けて前後方向の流路幅を徐々に縮小し、かつ左右方向の流路幅を徐々に拡大して形成されていることを特徴とする請求項１記載の排水連結具。
【請求項３】
前記下降流路は、上流端部から下方に向けて、流路方向に直交して対向する前面側の内壁と後面側の内壁とが近づきつつ、前方又は後方へ傾斜していることを特徴とする請求項１又は２記載の排水連結具。
【請求項４】
前記下降管部は、上端部に形成され、前記上流側開口部より流路面積を縮小させた上端絞り部を有していることを特徴とする請求項１乃至３のいずれか１項記載の排水連結具。
【請求項５】
前記下流側開口部は、下端部に形成されて流路断面積を縮小する下端絞り部を有していることを特徴とする請求項１乃至４のいずれか１項記載の排水連結具。
【請求項６】
前記下端絞り部は、前後方向の流路幅が左右方向の流路幅よりも狭いことを特徴とする請求項５記載の排水連結具。
【発明の詳細な説明】
【技術分野】
【０００１】
本発明は排水連結具に関する。
【背景技術】
【０００２】
特許文献１に従来の排水連結具が開示されている。この排水連結具は、便器本体に設けられた便鉢の下流側に連結された便器排水路の排出口と、便器本体が設置されるトイレルームに向けて開口した排水管の流入口とを連結する。この排水連結具は、便器排水路の排出口に接続する上流側開口部と、この上流側開口部から下方に延び、後面側の内壁の上部に設けられた前後方向の流路幅を縮小する棚部を有する下降流路を形成する下降管部と、下降管部の下端に設けられ、排水管の流入口に接続する下流側開口部とを備えている。
【０００３】
この排水連結具では、棚部が形成された下降流路の上部において前後方向の流路幅が上流側開口部の前後方向の寸法より小さくなっている。このため、上流側開口部から流入した排水の一部が棚部の上面に衝突して前面側の内壁に向けて飛散し、水膜が形成される。これにより、この水膜より上流側の流路内に排水を十分に満たすことができ、便器排水路及び下降流路にサイホン作用を発生させることができる。このため、サイホン作用を利用して便器本体からの排水を排出することができる。
【先行技術文献】
【特許文献】
【０００４】
【特許文献１】特開２００６−２１４１０６号公報
【発明の概要】
【発明が解決しようとする課題】
【０００５】
しかし、特許文献１の排水連結具では、前後方向の流路幅を縮小する棚部がサイホン作用の発生した後に下降流路を流下する排水の抵抗となる。このため、便器本体からの排水の排出に時間がかかったり、排出流の勢いが低下したりする等、排水性能が低下する虞がある。
【０００６】
本発明は、上記従来の実情に鑑みてなされたものであって、便器本体からの排水を良好に排出することができる排水連結具を提供することを解決すべき課題としている。
【課題を解決するための手段】
【０００７】
本発明の排水連結具は、便器本体に設けられた便鉢の下流側に連通する便器排水路の排出口と、前記便器本体が設置されるトイレルーム内に向けて開口する排水管の流入口とを連結する排水連結具であって、
前記排出口に接続する上流側開口部と、
この上流側開口部から下方に延び、上流端部より前後方向の流路幅が縮小し、かつ左右方向の流路幅が拡大した中間絞り部を有する下降流路を形成する下降管部と、
この下降管部の下流側に設けられ、前記流入口に接続する下流側開口部とを備えていることを特徴とする。
【０００８】
この排水連結具では、中間絞り部において前後方向の流路幅が縮小していることにより、上流側開口部から流下した排水が前面側又は後面側の一方の内壁から他方の内壁へ飛散する。これにより、水膜が形成され、この水膜より上流側の下降流路及び便器排水路に排水を十分に満たすことができる。このため、下降流路及び便器排水路にサイホン作用を良好に発生させることができる。また、中間絞り部では左右方向の流路幅が拡大しているため、前後方向の流路幅が減少しても流路面積の減少を抑制することができる。このため、排水連結具の排水性能を良好に維持することができる。
【０００９】
したがって、本発明の排水連結具は、便器本体からの排水を良好に排出することができる。
【００１０】
前記下降流路は、上流端部から下方に向けて前後方向の流路幅を徐々に縮小し、かつ左右方向の流路幅を徐々に拡大して形成され得る。この場合、中間絞り部においてサイホン作用が発生した後に下降流路を流れる排水を抵抗なくスムーズに流下させることができる。
【００１１】
前記下降流路は、上流端部から下方に向けて、流路方向に直交して対向する前面側の内壁と後面側の内壁とが近づきつつ、前方又は後方へ傾斜し得る。この場合、下降流路の前面側又は後面側の一方の内壁に沿って流下した排水が他方の内壁に向けて飛散する。これにより、水膜が形成され、この水膜より上流側の下降流路及び便器排水路に排水を十分に満たすことができ、サイホン作用を良好に発生させることができる。
【００１２】
前記下降管部は、上端部に形成され、前記上流側開口部より流路面積を縮小させた上端絞り部を有し得る。この場合、上端絞り部に上流側開口部から流下した排水を衝突させて飛散させることにより、水膜を形成することができる。これにより、上端絞り部より上流側の上流側開口部及び便器排水路に排水を十分に満たすことができ、早期にサイホン作用を発生させることができる。このため、便器本体からの排水をサイホン作用を利用して良好に排出することができる。
【００１３】
また、上端絞り部によって生じたサイホン作用は、中間絞り部により形成される水膜により、その水膜より上流側の下降流路にも排水が十分に満たされ、さらに強力なサイホン作用に成長させることができる。このため、便器本体からの排水をさらに良好に排出することができる。
【００１４】
前記下流側開口部は、下端部に形成されて流路断面積を縮小する下端絞り部を有し得る。この場合、下端絞り部に下降流路から流下した排水を衝突させて飛散させることにより、水膜を形成することができる。これにより、排水連結具の下端部でサイホン作用を発生させることができ、高低差を利用してさらに強力なサイホン作用に成長させることができる。また、流路面積を縮小することにより、汚物等が上流に到達して下流側開口部における流量が少なくなってもサイホン作用を持続することができる。
【００１５】
前記下端絞り部は、前後方向の流路幅が左右方向の流路幅よりも狭くし得る。この場合、下端絞り部の形状が中間絞り部の形状に合ったものとなる。このため、下端絞り部においてサイホン作用が発生した後、中間絞り部から下流側開口部にかけて排水の流れの抵抗を極力抑えることができ、便器本体からの排水を良好に排出することができる。
【図面の簡単な説明】
【００１６】
【図１】実施例１の排水連結具を備えた水洗式便器の断面図である。
【図２】実施例１の排水連結具の断面図である。
【図３】（Ａ）図２の矢視Ａ−Ａ断面図、（Ｂ）図２の矢視Ｂ−Ｂ断面図、（Ｃ）図２の矢視Ｃ−Ｃ断面図、（Ｄ）図２の矢視Ｄ−Ｄ断面図、（Ｅ）実施例１の排水連結具の左右方向の概略断面図である。
【図４】実施例２の排水連結具を備えた水洗式便器の断面図である。
【発明を実施するための形態】
【００１７】
本発明の排水連結具を具体化した実施例１及び２を図面を参照しつつ説明する。
【００１８】
＜実施例１＞
実施例１の排水連結具１０は、図１及び図２に示すように、便器本体１に設けられた便鉢２の下流側に連通する便器排水路３の排出口３Ａと、便器本体１が設置されるトイレルームＲ内に向けて開口する排水管５の流入口５Ａとを連結することができる。便器排水路３の排出口３Ａは下方に向いて開口している。排水管５の流入口５Ａは床面Ｆを貫通する貫通孔Ｈ内から上方に向いて開口している。
【００１９】
排水連結具１０は、便器排水路３の排出口３Ａに接続する上流側開口部１１と、この上流側開口部１１から下方に延びた下降流路Ｌ１を形成する下降管部１２と、この下降管部１２の下流側に設けられ、流入口５Ａに接続する下流側開口部１３とを備えている。
【００２０】
上流側開口部１１は円筒状であり、外周面の上下方向の中央部には外周面を一周する凸部１１Ａが形成されている。凸部１１Ａは、下方に向けて外側に広がる傾斜面と、この傾斜面の下端から鋭角に内側へ折れ曲がり上流側開口部１１の外周面に直交する水平面とを有している。
【００２１】
上流側開口部１１の外周面にはパッキン２０が嵌められている。このパッキン２０は、円筒状の胴部２０Ａと、胴部２０Ａの上端部から内側に延びる円環状の上面部２０Ｂとを有している。パッキン２０の胴部２０Ａの上下方向の中央部には、内側から外側に膨らんだ凹部２０Ｃが形成されている。凹部２０Ｃには上流側開口部１１の外周面に形成された凸部１１Ａが収納され、パッキン２０が上流側開口部１１の外周面から抜けてしまうことを防止している。また、パッキン２０の下部の外周面には締付けベルト２１が締着され、パッキン２０が上流側開口部１１の外周面から抜けてしまうことを防止している。
【００２２】
パッキン２０の上面部２０Ｂの中央開口部には、上方から便器本体１の便器排水路３を形成する便器排出管４の端部が挿入される。この際、パッキン２０の上面部２０Ｂの中央開口部は弾性変形して便器排出管４の外周面に摺接する。これにより、便器排出管４と排水連結具１０とは水密状態で接続される。
【００２３】
下降管部１２は上端部から外方に延びて形成された円環状の上端絞り部１４を有している。この上端絞り部１４の外周縁部は上流側開口部１１の下端部に連続している。このように、上端絞り部１４の中央開口部１４Ａにおける流路面積は上流側開口部１１の流路面積より縮小している。このため、便器排水路３の排出口３Ａから排出され、上流側開口部１１から流下する排水は、上端絞り部１４の上面に衝突して飛散する。これにより、水膜が形成され、上端絞り部１４より上流側の上流側開口部１１及び便器排水路３に排水を十分に満たすことができ、早期にサイホン作用を発生させることができる。このため、便器本体１からの排水をサイホン作用を利用して良好に排出することができる。
【００２４】
下降流路Ｌ１は、図２及び図３に示すように、上流端部１２Ａの前後方向の流路幅（Ｘ１）より縮小した前後方向の流路幅（Ｘ２）を有し、かつ上流端部１２Ａの左右方向の流路幅（Ｙ１）より拡大した左右方向の流路幅（Ｙ２）を有する中間絞り部である第１中間絞り部１２Ｂを設けている。下降流路Ｌ１は、上流端部１２Ａから第１中間絞り部１２Ｂにかけて、流路方向に直交して対向する前面側の内壁と後面側の内壁とが近づいている。また、下降流路Ｌ１は、上流端部１２Ａから第１中間絞り部１２Ｂにかけて下方に向けて後方へ傾斜している。このため、第１中間絞り部１２Ｂにおいて、上流側開口部１１から前面側の内壁に沿って流下した排水が後面側の内壁に向けて飛散する。これにより、第１中間絞り部１２Ｂに水膜が形成され、この水膜より上流側の下降流路Ｌ１に排水を十分に満たすことができる。このため、下降管部１２の上端部に形成された上端絞り部１４によってサイホン作用を早期に発生させつつ、この第１中間絞り部１２Ｂにおいてはサイホン作用をさらに強力なサイホン作用に成長させることができる。
【００２５】
また、下降流路Ｌ１は、上流端部１２Ａから下方に向けて前後方向の流路幅を滑らかな湾曲面により徐々に縮小し、かつ左右方向の流路幅を滑らかな湾曲面により徐々に拡大して形成されている。このため、第１中間絞り部１２Ｂにおいてサイホン作用が発生した後に下降流路Ｌ１を流れる排水を抵抗なくスムーズに流下させることができる。
【００２６】
下降流路Ｌ１は、第１中間絞り部１２Ｂより下方にも中間絞り部である第２中間絞り部１２Ｃを設けている。第２中間絞り部１２Ｃの前後方向の流路幅（Ｘ３）は第１中間絞り部１２Ｂの前後方向の流路幅（Ｘ２）より縮小している。また、第２中間絞り部１２Ｃの左右方向の流路幅（Ｙ３）は第１中間絞り部１２Ｂの左右方向の流路幅（Ｙ２）より拡大している。また、下降流路Ｌ１は、第１中間絞り部１２Ｂから第２中間絞り部１２Ｃにかけて下方に向けて前方へ傾斜している。このため、第２中間絞り部１２Ｃにおいて、下降流路Ｌ１の後面側の内壁に沿って流下した排水が前面側の内壁に向けて飛散する。これにより、第２中間絞り部１２Ｃに水膜が形成され、この水膜より上流側の下降流路Ｌ１に排水を十分に満たすことができる。よって、第２中間絞り部１２Ｃにおいてもサイホン作用をさらに強力なサイホン作用に成長させることができる。
【００２７】
また、下降流路Ｌ１は、第１中間絞り部１２Ｂから第２中間絞り部１２Ｃにかけても前後方向の流路幅を滑らかな湾曲面により徐々に縮小し、かつ左右方向の流路幅を滑らかな湾曲面により徐々に拡大して形成されている。このため、第２中間絞り部１２Ｃにおいてサイホン作用が発生した後に下降流路Ｌ１を流れる排水を抵抗なくスムーズに流下させることができる。
【００２８】
下流側開口部１３は下端部に形成された下端絞り部１３Ａを有している。この下端絞り部１３Ａの流路面積は、真上の流路面積より縮小している。下端絞り部１３Ａの前後方向の流路幅（Ｘ４）は第２中間絞り部１２Ｃの前後方向の流路幅（Ｘ３）より縮小している。このため、下端絞り部１３Ａに下降流路Ｌ１から流下した排水を衝突させて飛散させ、水膜を形成することができる。これにより、排水連結具１０の下端部でサイホン作用を発生させることができ、高低差を利用してさらに強力なサイホン作用に成長させることができる。また、流路面積を縮小することにより、汚物等が上流に到達して下流側開口部１３における流量が少なくなってもサイホン作用を持続させることができる。
【００２９】
また、下降流路Ｌ１は、図３（Ａ）、（Ｂ）、（Ｃ）、（Ｅ）に示すように、左右方向の流路幅が上流端部１２Ａから下方に向けて徐々に拡大し（Ｙ１＜Ｙ２＜Ｙ３）、前後方向の流路幅が徐々に減少している（Ｘ１＞Ｘ２＞Ｘ３）。このようにして、下降流路Ｌ１の流路面積の減少を抑制しているため、排水連結具１０の排水性能を良好に維持することができる。
【００３０】
したがって、実施例１の排水連結具１０は、便器本体１からの排水を良好に排出することができる。
【００３１】
また、第２中間絞り部１２Ｃから下端絞り部１３Ａにかけて前後方向及び左右方向の流路幅が徐々に拡大し、下端絞り部１３Ａにおいて急に流路面積を減少している。これにより、サイホン作用の終了時に排水連結具１０内を流下する排水の流量が落ちてきても下端絞り部１３Ａにおいてサイホン作用を継続させ続けることができる。つまり、長い間、強力なサイホン作用を継続することができる。
【００３２】
下端絞り部１３Ａの前後方向の流路幅は左右方向の流路幅より狭くなっている。これにより、下端絞り部１３Ａの開口形状を下降流路Ｌ１の下流側の扁平形状の流路形状に合わせ、サイホン作用が発生した後の流下する排水の抵抗を極力抑えてスムーズに排出することができる。
【００３３】
下流側開口部１３は、図１に示すように、排水管５の流入口５Ａ内に挿入され、下流側開口部１３の外周面と流入口５Ａの内周面が接着材により接合される。このようにして、排水連結具１０と排水管５とは水密状態で接着される。
【００３４】
＜実施例２＞
実施例２の排水連結具１１０は、図４に示すように、便器排水路３の排出口３Ａと、その下方から前方に離れた床面Ｆに設けられた貫通孔Ｈ内から上方に向いて開口する排水管５の流入口５Ａとを連結することができる。この排水連結具１１０は、排出口３Ａに接続される上流側開口部１１と、この上流側開口部１１から下方に延びた下降流路Ｌ２を形成する下降管部１１２と、下降管部１１２の下部から前方に延びた横引き流路Ｌ３を形成する横引き管部１１４と、横引き管部１１４の下流側に設けられ、流入口５Ａに接続される下流側開口部１１３とを備えている。他の構成は、実施例１と同様であり、同一の構成については同一の符号を付し詳細な説明を省略する。
【００３５】
排水連結具１１０の下降流路Ｌ２は、上流端部１１２Ａより前後方向の流路幅が縮小し、かつ左右方向の流路幅が拡大した中間絞り部１１２Ｂを有している。つまり、下降流路Ｌ２は、上流端部１１２Ａから中間絞り部１１２Ｂにかけて、流路方向に直交して対向する前面側の内壁と後面側の内壁とが近づいている。また、下降流路Ｌ２は、上流端部１２Ａから中間絞り部１１２Ｂにかけて下方に向けて後方へ傾斜している。このため、中間絞り部１１２Ｂにおいて、上流側開口部１１から前面側の内壁に沿って流下した排水が後面側の内壁に向けて飛散する。これにより、中間絞り部１１２Ｂに水膜が形成され、この水膜より上流側の下降流路Ｌ２に排水を十分に満たすことができる。このため、下降管部１１２の上端部に形成された絞り部１４によってサイホン作用を発生させつつ、この中間絞り部１１２Ｂにおいてはサイホン作用をさらに強力なサイホン作用に成長させることができる。
【００３６】
また、下降流路Ｌ２は、左右方向の流路幅が上流端部１１２Ａから中間絞り部１１２Ｂに向かって徐々に拡大している。このため、前後方向の流路幅が減少しても下降流路Ｌ２の流路面積の減少を抑制している。このため、排水連結具１１０の排水性能を良好に維持することができる。
【００３７】
したがって、実施例２の排水連結具１１０も便器本体１からの排水を良好に排出することができる。
【００３８】
横引き管部１１４は前端側を切断可能である。このため、上方に向いて開口する排水管５の流入口５Ａの位置の変化、つまり便器排水路３の排出口３Ａと排水管５の流入口５Ａとの距離に変化に応じて、横引き管部１１４の前端側を切断し、便器排水路３の排出口３Ａと排水管５の流入口５Ａとを連結することができる。横引き管部１１４の前端部には横引き流路Ｌ３の向きを下方へ向けて変化させる前端部材１１４Ａが連結されている。前端部材１１４Ａの下方には、下流側開口部１１３を形成した接続部材１１５が前端部材１１４Ａと接着固定されている。下流側開口部１１３は、配管５の流入口５Ａ内に挿入され、下流側開口部１１３の外周面と流入口５Ａの内周面が接着される。このようにして、排水連結具１１０と排水管５とは水密状態で連結される。
【００３９】
本発明は上記記述及び図面によって説明した実施例に限定されるものではなく、例えば次のような実施例も本発明の技術的範囲に含まれる。
（１）実施例１では、上流端部から第１中間絞り部にかけて下降流路が下方に向けて後方に傾斜していたが、下方に向けて前方に傾斜させてもよい。
（２）実施例１及び２では、下降管部の上端部に上端絞り部を形成したが、上端絞り部がなくてもよい。
（３）実施例１及び２では、下降流路の前後方向の流路幅を滑らかな湾曲面によって徐々に縮小したが、段階的に徐々に縮小してもよい。
（４）実施例１及び２では、下降流路の左右方向の流路幅を滑らかな湾曲面によって徐々に拡大したが、段階的に徐々に拡大してもよい。
【符号の説明】
【００４０】
１…便器本体
２…便鉢
３…便器排水路
３Ａ…排出口
５…排水管
５Ａ…流入口
１０、１１０…排水連結具
１１…上流側開口
１２、１１２…下降管部
１２Ａ、１１２Ａ…上流端部
１２Ｂ、１１２Ｂ…第１中間絞り部（中間絞り部）
１２Ｃ…第２中間絞り部（中間絞り部）
１３、１１３…下流側開口部
１３Ａ…下端絞り部
１４…上端絞り部
Ｌ１、Ｌ２…下降流路
Ｌ３…横引き流路
Ｒ…トイレルーム
【図１】
0005398582.tif 000002
【図２】
0005398582.tif 000003
【図３】
0005398582.tif 000004
【図４】
0005398582.tif 000005